(57)【要約】【課題】  床の単位面積あたりの単位乾燥機の設置台数に制約を受けず、しかも、操作盤及びドラム扉（の取手）の設置の高さ位置が使用者にとって使い易い位置に設定された衣類乾燥装置の提供。【解決手段】  回転軸を前後方向とする乾燥ドラムと当該乾燥ドラムに対応するON/OFFスイッチやタイマー設定等の運転設定手段が集約された操作盤とを備えて独立して運転される単位乾燥機が上下２段に重ねて配設された衣類乾燥装置において、前記単位乾燥機の操作盤は、当該単位乾燥機の前面を乾燥ドラムの外周に近接させた四辺からなる方形とし、方形とされた前面の四隅の一隅に設けた構成とした。【選択図】図１
2006239051.tif 000002
【特許請求の範囲】
【請求項１】
回転軸を前後方向とする乾燥ドラムと当該乾燥ドラムに対応するON/OFFスイッチやタイマー設定等の運転設定手段が集約された操作盤とを備えて独立して運転される単位乾燥機が上下２段に重ねて配設された衣類乾燥装置において、
前記単位乾燥機の操作盤は、当該単位乾燥機の前面を乾燥ドラムの外周に近接させた四辺からなる方形とし、方形とされた前面の四隅の一隅に設けたことを特徴とする衣類乾燥装置。
【請求項２】
少なくとも上段の単位乾燥機において、操作盤は乾燥ドラムの斜め下の左右の何れかの隅に設けたことを特徴とする請求項１に記載の衣類乾燥装置。
【請求項３】
少なくとも下段の単位乾燥機において、操作盤は乾燥ドラムの斜め上の左右の何れかの隅に設けたことを特徴とする請求項１又は請求項２に記載の衣類乾燥装置。
【請求項４】
各単位乾燥機の操作盤は、乾燥ドラムの前面側に当該ドラムの開閉蓋として左右何れかに片開きに設けられたドラム蓋の開放端側に設けられたことを特徴とする請求項１乃至請求項３の何れかに記載の衣類乾燥装置。
【請求項５】
各単位乾燥機において、当該乾燥機内から機外に排出される熱風に含まれる塵埃をろ過するフィルタ手段を、方形の前面から観て、操作盤が配設された隅を除く三隅の何れかに、乾燥ドラムの回転軸に沿う方向に延在させて設けたことを特徴とする請求項１乃至請求項４の何れかに記載の衣類乾燥装置。
【発明の詳細な説明】
【技術分野】
【０００１】
本発明は、回転軸を前後方向とする乾燥ドラムと当該乾燥ドラムに対応するON/OFFスイッチやタイマー設定等の運転設定手段が集約された操作盤とを備えて独立して運転される単位乾燥機が上下２段に重ねて配設された衣類乾燥装置に関するものである。
【背景技術】
【０００２】
従来、この種の上下２段式衣類乾燥装置は、業務用としてコインランドリー等の比較的狭い床面に複数台が列設されており、単位面積当りにより多くの乾燥機を設置するため、それ自体独立性して運転される単位乾燥機を上下に段に重ね、2台が1装置として構成されている。
【発明の開示】
【発明が解決しようとする課題】
【０００３】
従来の単位乾燥機の構成では、衣類が投入される乾燥ドラムと当該単位乾燥装置の操作盤設置スペースとが垂直上下方向に重ねて設定されていた。
このため、操作盤を使用者（客）の手が届く高さで且つ盤面を視野に入れて比較的容易に操作できるよう乾燥ドラムの下に設定すると、乾燥ドラムの前面に左右何れかに開くよう片開きに設けられたドラム蓋の取手に手が届き難くなって、扉の開閉や衣類の投入・取出しが困難になる。
逆に、ドラム蓋の取手に手が届き安くなるように下に乾燥ドラム、上に操作盤を設置すると、今度は操作盤の盤面を視野に入れ難くなり容易には操作し難くなるという課題があった。
又、このような課題を解決するには、操作盤とドラム扉（の取手）とを左右水平方向に横並びに配置すればよいが、横並びの配置では床面積を広く必要とするため、床の単位面積当りの単位乾燥機の設置台数が制約されてしまう。
【０００４】
本発明は、上記のような課題の解決を目的とし、床の単位面積あたりの単位乾燥機の設置台数に制約を受けず、しかも、操作盤及びドラム扉（の取手）の設置の高さ位置が使用者にとって使い易い位置に設定された衣類乾燥装置の提供を目的とする。
【課題を解決するための手段】
【０００５】
請求項１の衣類乾燥装置は、回転軸を前後方向とする乾燥ドラムと当該乾燥ドラムに対応するON/OFFスイッチやタイマー設定等の運転設定手段が集約された操作盤とを備えて独立して運転される単位乾燥機が上下２段に重ねて配設された衣類乾燥装置において、前記単位乾燥機の操作盤は、当該単位乾燥機の前面を乾燥ドラムの外周に近接させた四辺からなる方形とし、方形とされた前面の四隅の一隅に設けたことを特徴とする。
【０００６】
請求項2の発明は、請求項１に記載の衣類乾燥装置において、少なくとも上段の単位乾燥機において、操作盤は乾燥ドラムの斜め下の左右の何れかの隅に設けたことを特徴とする。
【０００７】
請求項３の発明は、請求項１又は請求項２に記載の衣類乾燥装置において、少なくとも下段の単位乾燥機において、操作盤は乾燥ドラムの斜め上の左右の何れかの隅に設けたことを特徴とする。
【０００８】
請求項4の発明は、請求項１乃至請求項３の何れかに記載の衣類乾燥装置において、各単位乾燥機の操作盤は、乾燥ドラムの前面側に当該ドラムの開閉蓋として左右何れかに片開きに設けられたドラム蓋の開放端側に設けられたことを特徴とする。
【０００９】
請求項5の発明は、請求項１乃至請求項４の何れかに記載の衣類乾燥装置において、各単位乾燥機において、当該乾燥機内から機外に排出される熱風に含まれる塵埃をろ過するフィルタ手段を、方形の前面から観て、操作盤が配設された隅を除く三隅の何れかに、乾燥ドラムの回転軸に沿う方向に延在させて設けたことを特徴とする。
【発明の効果】
【００１０】
本発明によれば、上段側の単位乾燥機において、少なくとも操作盤の上に乾燥ドラムを重ねる必要が無くなり、比較的低く位置する操作盤に対する乾燥ドラム扉（の取手）を従来に較べ近づけての配置が可能となるので、床の単位面積あたりの単位乾燥機の設置台数に制約を受けず、しかも、操作盤及びドラム扉（の取手）の設置の高さ位置が使用者にとって使い易い位置に設定された衣類乾燥装置を提供することができる。
【００１１】
又、本発明によれば、上段側の単位乾燥機の操作盤は乾燥ドラムの斜め下に、
下段側の単位乾燥機の操作盤は乾燥ドラムの斜め上に、各々配設することにより、上下側の操作盤が上下の単位乾燥機の重なる高さ位置とすることができるので、より一層、使用者にとって使い易い衣類乾燥装置を提供することができる。
【００１２】
又、本発明によれば、ドラム蓋の開放端側に操作盤が配設されるので、運転操作領域と扉の開閉作業領域とが最短距離に近設され、手の作業軌跡を短くすることができ、疲労度の少ない、使い易い衣類乾燥装置を提供することができる。
【００１３】
又、本発明によれば、比較的大きな容量を必要とするフィルタを、方形に納まる単位乾燥機の操作盤が設定された隅を除く余りスペースの三隅内の1つに設定するので、余りスペースを有効活用することができ、全体として上下２段の衣類乾燥装置の高さを低く設定することができる。
【００１４】
又、本発明の衣類乾燥装置によれば、装置の高さの約１／2に近い大径の乾燥ドラムを納めることができるので、従来の装置よりより大きな容量の乾燥ドラムを納めることができる。
【発明を実施するための最良の形態】
【００１５】
本発明を、業務用の2段式衣類乾燥装置を例にして、図１乃至５図に基づいて説明する。
図１は衣類乾燥装置の前面側から観た正面図、図２は衣類乾燥装置の縦断側面図、図３は図１は衣類乾燥装置の背面図、図４は熱風の流れ方向を示す説明図である。
【実施例】
【００１６】
図１乃至図４において、１は業務用の2段式衣類乾燥装置、１０は衣類乾燥装置１を構成する上段側の単位乾燥装置、２０は同じく衣類乾燥装置１を構成する下段側の単位乾燥装置である。
以下、上段側の単位乾燥装置１０を主として説明し、下段側の単位乾燥装置２０と同一内容の場合には相応する符号を併記して、同一内容の下段側の単位乾燥装置２０についての説明を省略する。
【００１７】
図１乃至図３において、単位乾燥装置１０（２０）の前面１１（２１）には、操作盤１２（２２）と、衣類が投入される乾燥ドラム１３（２３）の片開きのドラム蓋１４（２４）と、単位乾燥機１０の機内を流れる熱風例えば高温蒸気に含まれる塵埃をろ過するためのフィルタ手段１５（２５）のフィルタ出し入れ扉１６（２６）が配設される。
【００１８】
操作盤１２（２２）には、電源用のON/OFFスイッチや乾燥運転時間を任意に設定するためのタイマー設定手段等、当該単位乾燥装置１０（２０）を運転するに必要な各種の運転設定手段が集約されており、この操作盤１２（２２）によって、対応する乾燥ドラム乾燥ドラム１３（２３）が各別に独立して運転される。
【００１９】
乾燥ドラム１３（２３）は、当該ドラムの回転軸（図示せず）が単位乾燥装置１０（２０）の前後方向（前は前面１１（２１））に向くように内設されており、前面１１（２１）側に衣類の投入や取出しのためのドラム蓋１５（２５）が開閉自在に設けられている。
この実施例に示すドラム蓋１５（２５）は、正面から前面前面１１（２１）を観て、左側が開放される左片開きに設けられており、図中の符号１６（２６）は蝶番である。
【００２０】
単位乾燥装置１０（２０）の前面１１（２１）は、乾燥ドラム１３（２３）の外周に近接させた四辺からなる方形に形成され、方形とされた前面１１（２１）の四隅の何れか１つの隅に操作盤１２（２２）、その余の三隅の１つにドラム蓋１５（２５）が配設されている。
【００２１】
この実施例に示す衣類乾燥装置１では、上下の何れの単位乾燥機１０、２０の操作盤１２、２２も、前面１１を正面から観て乾燥ドラム１３の斜め上の左の隅に設けてある。これは、単位乾燥機１０、２０のドラム蓋１４、２４が上記のように左開放の片開き扉であるためである。
【００２２】
このように、操作盤１２、２２を、乾燥ドラム１３、２３の前面１１側に、当該乾燥ドラム１３、２３の開閉蓋として左が片開きするように設けられたドラム蓋１４、２４の開放端側に設けることによって、操作盤１２、２２と取手１７、２７とを近設配置し、運転操作領域と扉（１４，２４）の開閉作業領域とを最短距離として、手の作業軌跡が短く、疲労度が少なく、使い易い装置とすることができる。
【００２３】
従って、ドラム蓋１４、２４の開放端が右であれば、右側に操作盤操作盤１２、２２を設けるとよい（図示せず）。
しかし、本発明では、必ずしも、操作盤１２と取手１７と近設配置することが必須ではなく、左右何れの隅に設けてもよい。
又、この実施例に示すように、上下の単位乾燥機１０，２０を同一構成とすることによって、上下の単位乾燥機１０，２０の構成をことにするよりは、生産コストを低減させることができ、使い易くて安価な衣類乾燥装置を提供できる。
【００２４】
又、本実施例には図示されていないが、上段の単位乾燥機１０の操作盤（１３）については、前面１１を正面から観て乾燥ドラム１３の斜め下の左の隅に設けるとよい。強いて、図1において説明すれば、操作盤１２とフィルタ蓋１５との位置を置き換えた配置構成とするのである。
【００２５】
このように構成することによって、上段の単位乾燥機１０の操作盤（１３）と下段の単位乾燥機２０の操作盤２２との配設位置を、上下の単位乾燥機１０、２０が重なる位置とすることができ、操作し易い高さ位置に上下の操作盤１２、２２を集約させることができる。
【００２６】
図１乃至図４において、単位乾燥機１０（２０）の機内から機外に排出される熱風に含まれる塵埃をろ過するフィルタ手段フィルタ手段１５（２５）は、方形の前面１１（２１）から観て、操作盤１２（２２）が配設された隅を除く三隅の何れかに、乾燥ドラム１３，２３の回転軸（図示せず）に沿う方向即ち前後方向に延在させて配設してある。
【００２７】
即ち、図２乃至図４に示す例では、前面１１（２１）の正面側から観て、機内の右上隅の後面（背面）に配設された熱風取入口３１から機内に吹き込まれた熱風が、図４に示すように対角の隅位置（左下隅）に配設された取り入れたフィルタ手段１５（２５）に向かって、回転する乾燥ドラム１３（２３）を通過して流れるように配置してある。
乾燥ドラム１３（２３）の同周面には無数の通気穴（図示せず）が設けられており、この通気穴から流入し、流出していく熱風によって、ドラムの回転によってほぐされる衣類を乾燥させる。
【００２８】
乾燥ドラム１３（２３）に関連付けられて付設されるフィルタ手段１５（２５）は比較的容量が大きいが、この実施例のように、方形の前面１１（２１）の操作盤１２（２２）が配設された隅を除く三隅の何れかに配設させることで、
フィルタ手段の設置による装置高さの増長を解消することができ、装置全体の高さを低く抑制することができる。
【産業上の利用可能性】
【００２９】
本発明は、上記実施例に示す如く、業務用の２段式衣類乾燥装置に広く適用することができる。
【図面の簡単な説明】
【００３０】
【図１】図１は衣類乾燥装置の前面側から観た正面図である。
【図２】衣類乾燥装置の縦断側面図である。
【図３】衣類乾燥装置の背面図である。
【図４】熱風の流れ方向を示す説明図である。
【符号の説明】
【００３１】
１    衣類乾燥装置
１０  単位乾燥機（上段）
２０  単位乾燥機（下段）
１１，２１  前面
１２，２２  操作盤
１３、２３  乾燥ドラム
１４、２４  ドラム蓋（片開扉）
１５，２５  フィルタ蓋
１６，２６  蝶番（フィルタ蓋）
３１  熱風取入れ口
【図１】
2006239051.tif 000003
【図２】
2006239051.tif 000004
【図３】
2006239051.tif 000005
【図４】
2006239051.tif 000006